(57)【特許請求の範囲】
【請求項１】
制御基板と、当該制御基板を収容する基板ボックスと、前記基板ボックスを封印する封印手段とを備えた遊技機であって、
前記封印手段は、
前記基板ボックスを構成するボックスベース及びボックスカバーのうちの一方に設けられた第１連結部と、他方に設けられた第２連結部とを、連結部材を用いて連結状態とする構成であって、
前記封印手段を少なくとも２つ用いるとともに、一方の封印手段においては、前記第１連結部を前記ボックスベースに設けかつ前記第２連結部を前記ボックスカバーに設け、他方の封印手段においては、前記第１連結部を前記ボックスカバーに設けかつ前記第２連結部を前記ボックスベースに設けたことを特徴とする遊技機。
【発明の詳細な説明】
【技術分野】
【０００１】
本発明は、パチンコ機等の遊技機に関するものである。
【背景技術】
【０００２】
遊技機の一種として、パチンコ遊技機やスロットマシン等が知られている。これらの遊技機は、ＣＰＵ（中央処理装置）や遊技に関わる制御プログラムが記憶されたＲＯＭ等の電子部品が実装された制御基板（制御装置）を備えており、その制御基板によって一連の遊技が制御されている。
【０００３】
この種の遊技機においては、制御基板に対しての不正行為が数多く報告されており、各種の不正対策が検討されている。例えば、基板ボックスに封印構造（いわゆる、カシメ構造）を持たせて、基板ボックスの開封時には破壊等による開封履歴（開封の痕跡）を残すようにする等の不正対策が採用されている（例えば特許文献１参照）。
【０００４】
一般的に、封印構造を備える基板ボックスは、制御基板を収容するボックスベースと、ボックスベースの開口部を閉塞するボックスカバーと、ボックスベースに設けられたベース側連結部と、ボックスカバーに設けられたカバー側連結部とを備え、これらにカシメ部材を差込むことで、ボックスベースとボックスカバーとが連結される構成となっている。
【先行技術文献】
【特許文献】
【０００５】
【特許文献１】特開２００３−１８０９１７号公報
【発明の概要】
【発明が解決しようとする課題】
【０００６】
しかしながら、上記の構成を有する基板ボックスを２つ用意し、そのうちの一方の基板ボックスに関しては、カバー側連結部を破壊することで当該基板ボックスを開封し、他方の基板ボックスに関しては、ベース側連結部を破壊することで当該基板ボックスを開封した場合、それぞれ無傷の（開封の痕跡のない）ボックスベース及びボックスカバーを得ることができる。
【０００７】
このようにして得たボックスベース及びボックスカバーに不正な制御基板を収容し、基板ボックスごと交換するといった不正行為が行われた場合には、外観上、制御基板が取り替えられたことが分からなくなり、当該不正行為の発見が非常に困難となる。
【０００８】
なお、上記例示した課題等は、パチンコ機に限らず、同様の基板ボックスを有する他の遊技機にも該当する問題である。
【０００９】
本発明は、上記例示した問題点等を解決するためになされたものであり、その目的は、開封の痕跡をより確実に残すことのできる基板ボックスを備えた遊技機を提供することにある。
【課題を解決するための手段】
【００１０】
本発明に係る遊技機は、
制御基板と、当該制御基板を収容する基板ボックスと、前記基板ボックスを封印する封印手段とを備えた遊技機であって、
前記封印手段は、
前記基板ボックスを構成するボックスベース及びボックスカバーのうちの一方に設けられた第１連結部と、他方に設けられた第２連結部とを、連結部材を用いて連結状態とする構成であって、
前記封印手段を少なくとも２つ用いるとともに、一方の封印手段においては、前記第１連結部を前記ボックスベースに設けかつ前記第２連結部を前記ボックスカバーに設け、他方の封印手段においては、前記第１連結部を前記ボックスカバーに設けかつ前記第２連結部を前記ボックスベースに設けたことをその要旨としている。
【発明の効果】
【００１１】
本発明によれば、基板ボックスの開封の痕跡をより確実に残すことができる。
【図面の簡単な説明】
【００１２】
【図１】一実施形態におけるパチンコ機を示す正面図である。
【図２】パチンコ機を示す斜視図である。
【図３】内枠及び前面枠セットを開放した状態を示す斜視図である。
【図４】内枠および遊技盤等の構成を示す正面図である。
【図５】パチンコ機の構成を示す背面図である。
【図６】内枠及び裏パックユニット等を開放した状態を示す斜視図である。
【図７】基板ボックスの正面図である。
【図８】図７のＫ−Ｋ線部分断面図である。
【図９】かしめピンの正面図である。
【図１０】係止片の平面図である。
【図１１】（ａ）〜（ｄ）は封印ユニットによる基板ボックスの封印手順を説明するための図である。
【図１２】基板ボックスの開封手順を説明するための図である。
【図１３】基板ボックスの開封手順を説明するための図である。
【図１４】パチンコ機の主な電気的構成を示すブロック図である。
【図１５】別の実施形態における基板ボックスの正面図である。
【図１６】図１５のＪ−Ｊ線部分断面図である。
【図１７】別の実施形態におけるかしめピンの斜視図である。
【図１８】別の実施形態における第２の係止片の平面図である。
【図１９】（ａ）〜（ｄ）は別の実施形態における封印ユニットによる基板ボックスの封印手順を説明するための図である。
【図２０】別の実施形態におけるかしめピン及び保持ピンを示す斜視図である。
【図２１】（ａ）〜（ｃ）は別の実施形態における封印ユニットによる基板ボックスの封印手順を説明するための図である。
【図２２】別の実施形態におけるかしめピンを示す斜視図である。
【図２３】（ａ），（ｂ）は別の実施形態における封印ユニットによる基板ボックスの封印手順を説明するための図である。
【図２４】別の実施形態における封印ユニットを示す部分断面図である。
【図２５】別の実施形態におけるかしめピンを示す斜視図である。
【図２６】（ａ），（ｂ）は別の実施形態における封印ユニットによる基板ボックスの封印手順を説明するための図である。
【図２７】第１実施形態に係る基板ボックスの分解斜視図である。
【図２８】別の実施形態に係る基板ボックスの分解斜視図である。
【発明を実施するための形態】
【００１３】
上述したように、遊技機の一種として、パチンコ遊技機やスロットマシン等が知られている。これらの遊技機は、ＣＰＵ（中央処理装置）や遊技に関わる制御プログラムが記憶されたＲＯＭ等の電子部品が実装された制御基板（制御装置）を備えており、その制御基板によって一連の遊技が制御されている。
【００１４】
この種の遊技機においては、不正な利益を得ることを目的として、制御基板を不正に取り外して当該基板のＲＯＭ（ＣＰＵやＲＯＭが１チップ化されている場合は当該チップ）  
を交換し遊技内容を変更したり、リード線等により外部から不正な電気信号を制御基板に入力させたりする等、制御基板に対しての不正行為が数多く報告されており、各種の不正対策が検討されている。例えば、基板ボックスに封印構造（いわゆる、カシメ構造）を持たせて、基板ボックスの開封時には破壊等による開封履歴（開封の痕跡）を残すようにする等の不正対策が採用されている（例えば特許文献１参照）。
【００１５】
一般的に、封印構造を備える基板ボックスは、制御基板を収容するボックスベースと、ボックスベースの開口部を閉塞するボックスカバーと、ボックスベースに設けられたベース側連結部と、ボックスカバーに設けられたカバー側連結部とを備えている。そして、ボックスベースとボックスカバーとを組付けると、ベース側連結部に形成された係止凹部とカバー側連結部に形成された係止孔とが位置合わせされ、係止孔を介して係止凹部に対し、返しの付いたピンや、破断ねじ、ワンウェイねじ等といったカシメ部材を差込むことで、ボックスベースとボックスカバーとが連結される構成となっている。破断ねじとは、ドライバ等の工具が係合される工具係合部（十字溝等）が形成された部位を螺着後に除去することのできる特殊ねじである。また、ワンウェイねじとは、ドライバ等の工具が締め付け方向（ねじ込み方向）にのみ係合される工具係合部をねじ頭部に形成したものであり、ねじを緩める方向にドライバ等の工具を回転させると、当該工具が空回りすることで外すことができない特殊ねじである。
【００１６】
従って、係止孔及び係止凹部に差込まれたカシメ部材は、ベース側連結部及びカバー側連結部のうち少なくとも一方側を破壊（除去）しない限り取外し不能となる。つまり、基板ボックスを開封する際には、基板ボックスに対して所定の痕跡が形成されることから、不正開封された場合には、早期に且つ容易に発見することができる。
【００１７】
しかしながら、上記の構成を有する基板ボックスを２つ用意し、そのうちの一方の基板ボックスに関しては、カバー側連結部を破壊することで当該基板ボックスを開封し、他方の基板ボックスに関しては、ベース側連結部を破壊することで当該基板ボックスを開封した場合、それぞれ無傷の（開封の痕跡のない）ボックスベース及びボックスカバーを得ることができる。
【００１８】
例えば、ベース側連結部を破壊して、カバー側連結部からカシメ部材の頭部等を抜き取れば、無傷のボックスカバーを容易に得ることができる。一方、ボックスベースの取得に関しては、破断ねじやワンウェイねじなどをカシメ部材として用いた場合でも、カバー側連結部を破壊する等して、ベース側連結部に残されたねじの一部をプライヤー等の工具により挟持して回せば、取り外すことが可能となる。返しピンなどを用いた場合には、その一部をプライヤー等の工具により挟持さえできれば、容易に引き抜くことができる。このようにして、カシメ部材の取り外された無傷のボックスベース及びボックスカバーを２つの基板ボックスから得ることができる。
【００１９】
このようにして得たボックスベース及びボックスカバーに不正な制御基板を収容し、基板ボックスごと交換するといった不正行為が行われた場合には、外観上、制御基板が取り替えられたことが分からなくなり、当該不正行為の発見が非常に困難となる。
【００２０】
なお、上記課題は、パチンコ機に限らず、同様の基板ボックスを有する他の遊技機にも該当する問題である。
【００２１】
本発明は、上記例示した問題点等を解決するためになされたものであり、その目的は、開封の痕跡をより確実に残すことのできる基板ボックスを備えた遊技機を提供することにある。
【００２２】
以下、上記課題等を解決するのに適した各手段を項分けして説明する。なお、必要に応じて対応する手段に特有の作用効果等を付記する。
【００２３】
手段１．制御基板と、当該制御基板を収容する基板ボックスと、前記基板ボックスを封印する封印手段とを備えた遊技機であって、
前記封印手段は、
前記基板ボックスを構成するボックスベース及びボックスカバーのうちの一方に設けられた第１連結部と、他方に設けられた第２連結部とを、連結部材を用いて連結状態とするにあたり、
当該連結部材が、前記第２連結部を通して前記第１連結部へ挿し込まれ、当該第１連結部において係止されることによって、前記両連結部を連結状態としつつ抜き取り不能となる構成であって、
前記封印手段を少なくとも２つ用いるとともに、一方の封印手段においては、前記第１連結部を前記ボックスベースに設けかつ前記第２連結部を前記ボックスカバーに設け、他方の封印手段においては、前記第１連結部を前記ボックスカバーに設けかつ前記第２連結部を前記ボックスベースに設けたことを特徴とする遊技機。
【００２４】
上記手段１によれば、１組の封印手段を用いるとともに、一方の封印手段においては、第１連結部をボックスベースに設けかつ第２連結部をボックスカバーに設け、他方の封印手段においては、第１連結部をボックスカバーに設けかつ第２連結部をボックスベースに設けている。このため、１組の封印手段それぞれにおいて、少なくとも第１連結部又は第２連結部のいずれか共通の連結部を破壊する等しなければ、基板ボックスを開封することができない。つまり、ボックスベース及びボックスカバーの双方に開封の痕跡が残る。従って、仮に本手段１の構成を有する基板ボックスを２つ用意した場合でも、ボックスベース及びボックスカバーの両方を、開封の痕跡を残すことなく、無傷で得ることはできない。換言すれば、基板ボックスの開封の痕跡をより確実に残すことができ、ひいては基板ボックスごと交換するといった不正行為などを抑制することができる。
【００２５】
なお、遊技機における上記「制御基板」としては、「遊技に関する所定の制御を司る制御基板」の１つである、例えば「主基板（主制御基板）」、「払出制御基板」、「表示制御基板」など種々の制御基板が例として挙げられるが、このうち、遊技者の利益に直接的に影響を及ぼす、すなわち遊技価値の付与（賞球の払出し等）に関する制御を司る「主基板」や「払出制御基板」等の封印構造に上記封印構造を採用すれば、特に上記作用効果が奏効する。
【００２６】
また、連結部材が「抜き取り不能」とは、上述しているように、例えば第１連結部を破壊する等しない限り、連結部材を取外すことができないこと、連結部材の係止状態の解除操作を行えないこと等を意味する。
【００２７】
手段２．制御基板と、当該制御基板を収容する基板ボックスと、前記基板ボックスを封印する封印手段とを備えた遊技機であって、
前記封印手段は、
前記基板ボックスを構成するボックスベース及びボックスカバーのうちの一方に設けられた第１連結部と、他方に設けられた第２連結部とを、連結部材を用いて連結状態とするにあたり、
当該連結部材が、前記第２連結部を通して前記第１連結部へ挿し込まれ、当該第１連結部において係止されることによって、前記両連結部を連結状態としつつ抜き取り不能となる構成であって、
前記第１連結部を前記ボックスベースに有しかつ前記第２連結部を前記ボックスカバーに有する第１（第１タイプ）の前記封印手段と、前記第１連結部を前記ボックスカバーに有しかつ前記第２連結部を前記ボックスベースに有する第２（第２タイプ）の前記封印手段とを少なくとも１組備えたことを特徴とする遊技機。
【００２８】
上記手段２によれば、上記手段１と同様の作用効果が奏される。
【００２９】
手段３．前記第１連結部及び前記第２連結部の少なくとも一方において、前記連結部材と、当該連結部材の挿し込み方向と交差して挿し込まれる保持部材とが互いに交差して係合することにより、当該連結部材及び保持部材がそれぞれ前記第１連結部又は前記第２連結部から抜き取り不能となることを特徴とする手段１又は２に記載の遊技機。
【００３０】
上記手段３によれば、仮に第１連結部又は第２連結部の一方側を破壊する等したとしても、連結部材及び保持部材が抜き取り不能となっている他方側を破壊する等しない限り、当該他方側から連結部材及び保持部材を取外すことができない。結果として、上記不正行為の抑止効果をさらに高めることができる。
【００３１】
また、保持部材が「抜き取り不能」とは、上述しているように、第１連結部又は第２連結部を破壊する等しない限り、当該連結部から保持部材を取外すことができないこと、当該連結部における連結部材及び保持部材の係合状態の解除操作を行えないこと等を意味する。
【００３２】
手段４．前記連結部材の挿し込み方向と、前記保持部材の挿し込み方向とが直交していることを特徴とする手段３に記載の遊技機。
【００３３】
上記手段４によれば、連結部材と保持部材とが互いの抜け方向に対し互いに直交して規制しあうため、双方がより確実に第１連結部又は第２連結部から抜き取り不能となり、上記不正行為の抑止効果をさらに高めることができる。
【００３４】
手段５．前記連結部材と前記保持部材とが互いに抜き取り不能に係合することを特徴とする手段３又は４に記載の遊技機。
【００３５】
上記手段５によれば、両者の係合状態がより安定し、より確実に第１連結部又は第２連結部から抜き取り不能となるため、上記不正行為の抑止効果をさらに高めることができる。例えば棒状の連結部材を平板状の保持部材の孔部に挿し込み、連結部材に設けられたくびれ部に保持部材の孔部周縁が嵌合し、両者が係合される構成例などが挙げられる。
【００３６】
手段６．前記連結部材又は前記保持部材の一方を他方に挿し込むことで、他方の部材の一部が変形し、当該部位が係止部として一方の部材の抜け方向への動きを規制した状態となることで、前記連結部材と前記保持部材とが互いに抜き取り不能に係合することを特徴とする手段５に記載の遊技機。
【００３７】
上記手段６によれば、例えば棒状の連結部材を平板状の保持部材の孔部に挿し込むことで、保持部材の孔部周縁が不可逆的に変形し、当該部位が係止部（係止爪）として連結部材のくびれ部にて当該連結部材の抜け方向への動きを規制した状態で係合する。結果として、上記手段５の作用効果をさらに高めることができる。
【００３８】
手段７．前記連結部材及び前記保持部材は、前記第１連結部又は前記第２連結部に形成された互いに異なる孔部又は穴部に挿し込まれた状態で互いに交差して係合することを特徴とする手段３乃至６のいずれかに記載の遊技機。
【００３９】
上記手段７によれば、連結部材と保持部材とが互いに開口部の異なる孔部又は穴部に挿し込まれた状態で係合されるため、両者の係合状態を解除することが困難となる。なお、上記「穴」とは非貫通の「凹部」を指し、上記「穴」には貫通した「孔（孔部）」は含まれない。
【００４０】
手段８．前記連結部材及び前記保持部材は、前記第１連結部又は前記第２連結部の表面と面一又は当該表面より没入した状態で収容されることを特徴とする手段３乃至７のいずれかに記載の遊技機。
【００４１】
上記手段８によれば、連結部材及び保持部材の双方が没入等した状態となるため、例えば、連結部材及び保持部材の一部をそれぞれ工具等により挟持しつつ捻る等して破断させるといった行為が困難となり、結果として、上記不正行為の抑止効果をさらに高めることができる。
【００４２】
手段９．前記連結部材を、前記第１連結部及び前記第２連結部に対しそれぞれ抜き取り不能に係止したことを特徴とする手段１乃至８のいずれかに記載の遊技機。
【００４３】
上記手段９によれば、連結部材が、第１連結部及び第２連結部に対しそれぞれ抜き取り不能に係止される。このため、第１連結部及び第２連結部の双方において、それぞれ当該連結部を破壊する等しない限り、連結部材を取り外すことができない。結果として、基板ボックスの開封の痕跡をより確実に残すことができ、上記不正行為の抑止効果をさらに高めることができる。
【００４４】
以下に、上記各手段が適用される各種遊技機の基本構成を示す。
【００４５】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【００４６】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【００４７】
Ｃ．上記各手段における前記遊技機、又は、上記各弾球遊技機は、パチンコ機又はパチンコ機に準ずる遊技機であること。
【００４８】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【００４９】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【００５０】
〔第１実施形態〕
以下、パチンコ遊技機（以下、単に「パチンコ機」という）の一実施形態を、図面に基づいて詳細に説明する。ここで、図１はパチンコ機１０の正面図であり、図２は斜視図であり、図３は内枠１２及び前面枠セット１４を開放した状態を示す斜視図である。図４は内枠１２及び遊技盤３０等の構成を示す正面図である。図５はパチンコ機１０の背面図であり、図６は内枠１２及び裏パックユニット２０３等を開放した状態を示す斜視図である。但し、図３では便宜上、遊技盤３０面上に配設される釘や役物、前面枠セット１４に取付けられるガラスユニット１３７等を省略して示している。
【００５１】
図３等に示すように、パチンコ機１０は、当該パチンコ機１０の外郭を構成する外枠１１を備えており、この外枠１１の一側部に内枠１２が開閉可能に支持されている。
【００５２】
外枠１１は、図６等に示すように、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００５３】
左辺枠構成部１１ｃの上下端部には、それぞれ上ヒンジ８１及び下ヒンジ８２が取着されている（図１参照）。当該上ヒンジ８１及び下ヒンジ８２にて、内枠１２の上下部が回動可能に支持されており、これにより内枠１２が開閉可能となる。そして、外枠１１の内側に形成される空間部に内枠１２等が収容される。
【００５４】
また、右辺枠構成部１１ｄには、その幅方向後端部近傍から外枠１１内側へ向け突出した延出壁部８３が形成されている。延出壁部８３は、内枠１２の右側部背面側に設けられる施錠装置６００（図６参照）に対応する上下区間全域を内枠１２の背面側から覆っている（図５参照）。加えて、図３に示すように、延出壁部８３の前面側には、施錠装置６００の係止部材が係止される上下一対の受部８４，８５が設けられている。また、下側の受部８５には、後述する内枠開放検知スイッチ９２に当接する押圧部８６が、外枠１１内側に向けて突設されている。
【００５５】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００５６】
図３に示すように、内枠１２の開閉軸線は、パチンコ機１０の正面からみて左側において上下に沿って設定されており、この開閉軸線を軸心として内枠１２が前方側に開放できるようになっている。内枠１２は、外形が矩形状をなす樹脂ベース３８を主体に構成されており、当該樹脂ベース３８の中央部には略楕円形状の窓孔３９が形成されている。
【００５７】
また、内枠１２の前面側には前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００５８】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００５９】
図１に示すように、前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００６０】
下皿１５の右方には、手前側に突出した遊技球発射ハンドル（以下、単にハンドルという）１８が設けられている。尚、ハンドル１８には、図示しないタッチセンサや、ハンドル１８の操作部の操作量を検出するための図示しない操作量検出手段が設けられている。
【００６１】
下皿１５の上方には上皿１９が設けられている。上皿１９は、遊技球を一旦貯留し、一列に整列させながら後述する発射手段としての遊技球発射装置（以下、単に発射装置という）７０の方へ案内する球受皿である。なお、上皿１９が遊技球で一杯になった状態では、払出される遊技球は下皿１５へと案内される。
【００６２】
上皿１９には球貸しボタン１２１と返却ボタン１２２とが設けられている。これにより、遊技ホール等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００６３】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した環状電飾部１０２が設けられている。また、該環状電飾部１０２の両側部には、所定のエラー時に点灯するエラー表示ランプ１０４が設けられている。尚、環状電飾部１０２のうち各エラー表示ランプ１０４の上方部位には、前面枠セット１４の背面に設けられるスピーカＳＰ（図３参照）に対応して細かな透孔が多数形成されている。
【００６４】
前面枠セット１４の背面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００６５】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００６６】
また、内枠１２（樹脂ベース３８）の前面下部、すなわち窓孔３９（遊技盤３０）の下方位置には、発射装置７０及び当該発射装置７０より発射された直後の遊技球を案内する発射レール６１が取付けられている。本実施形態では、発射装置７０としてソレノイド式発射装置を採用している。
【００６７】
次に、遊技盤３０の構成について図４を参照して説明する。遊技盤３０には、一般入賞口３１、可変入賞装置３２、第１契機対応ユニット（作動口）３３、第２契機対応口３４、可変表示装置ユニット３５等がルータ加工によって形成された貫通孔に配設され、遊技盤３０前面側から木ネジ等により取付けられている。周知の通り一般入賞口３１、可変入賞装置３２、第１契機対応ユニット３３などの各種入賞口に遊技球が入球（入賞）すると、後述する各種検出スイッチにより検出され、上皿１９（又は下皿１５）へ所定数の賞球が払い出される。その他に、遊技盤３０にはアウト口３６が設けられており、一般入賞口３１等の各種入賞口に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００６８】
第１契機対応ユニット３３は、上入賞口３３ａ及び下入賞口３３ｂを備えるとともに、下入賞口３３ｂに対応して一対の開閉部材３３ｃを備えている。これにより、上入賞口３３ａが遊技球が常時入球可能な開状態となっているのに対し、下入賞口３３ｂは、開閉部材３３ｃが所定条件の成立に応じて開閉動作することにより、遊技球が入球不能な閉状態と、遊技球が入球可能な開状態とに切換わる。例えば、下入賞口３３ｂは、通常モード時には開閉部材３３ｃが開状態となり規定時間（例えば０．２秒）の経過した場合又は規定個数（例えば１個）の遊技球の入球があった場合に閉状態となる。この開閉処理は、通常モード時においては１回だけ行われる。また、上記構成に代えて、下入賞口３３ｂが、遊技球が入球困難な閉状態と、遊技球が前記閉状態より入球容易な開状態とに切換わる構成としてもよい。
【００６９】
可変表示装置ユニット３５には、第２契機対応口３４の通過をトリガとして変動表示する普通図柄表示装置４１と、第１契機対応ユニット３３（上入賞口３３ａ又は下入賞口３３ｂ）への入賞をトリガとして変動表示する特別表示装置４３と、特別表示装置４３による変動表示に合わせて変動表示する装飾図柄表示装置４２とが設けられている。
【００７０】
普通図柄表示装置４１は、普通図柄として「○」又は「×」を点灯表示可能に構成されており、遊技球が第２契機対応口３４を通過する毎に例えば普通図柄を「○」→「×」→「○」→・・・という具合に高速で切換表示（変動表示）する。そして、その変動表示が「○」図柄（当選図柄）で数秒間停止した場合には、第１契機対応ユニット３３が所定時間だけ作動状態となる。この普通図柄表示装置４１は、後述する主制御装置２６１によって直接的に表示内容が制御される。
【００７１】
また、普通図柄表示装置４１の変動表示中に、新たに遊技球が第２契機対応口３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００７２】
特別表示装置４３は、普通図柄表示装置４１の右側方に設けられ、赤、緑、青の発光色を有する三色発光ダイオード（三色ＬＥＤ）により構成されている。そして、遊技球が第１契機対応ユニット３３に入賞する毎に色換え表示（変動表示）が行われ、変動表示が停止したときの点灯態様（点灯色）により、大当たりか否かが確定的に表示される。
【００７３】
より詳しくは、第１契機対応ユニット３３に対し遊技球が入賞すると、特別表示装置４３は、３色ＬＥＤを赤→緑→青→赤→・・・という具合に高速で色換え表示（変動表示）し、所定時間が経過すると、いずれかの色に決定表示する。高速の色換え表示とは、例えば４ｍｓｅｃ毎に赤、緑、青を順番に表示するという具合である。大当たり抽選に当選した場合には、この際、赤又は緑で決定表示（例えば数秒間停止）され、特別遊技状態が発生する。特に、赤は、大当たり終了後の遊技モードが高確率モードであることを示す表示であり、緑は、大当たり終了後の遊技モードが時間短縮モードであることを示す表示である。なお、この特別表示装置４３についても、主制御装置２６１によって表示内容が直接的に制御される。
【００７４】
また、特別表示装置４３の変動表示中に新たに遊技球が第１契機対応ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応ユニット３３に入賞した場合、その分の変動表示についても保留される。
【００７５】
装飾図柄表示装置４２は液晶表示装置として構成されており、後述するサブ制御装置２６２及び表示制御装置４５によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００７６】
可変入賞装置３２は、通常は遊技球が入賞できない閉状態になっており、大当たり（特別遊技状態の発生）の際に、遊技球が入賞可能な開状態とされる。具体的には、規定時間（例えば２９秒）の経過又は規定個数（例えば１０個）の入賞を１ラウンド（特賞状態）として、可変入賞装置３２の大入賞口が所定回数（所定ラウンド数）繰り返し開放される。
【００７７】
また、遊技盤３０には、内レール構成部５１と外レール構成部５２とからなり、発射装置７０から発射された遊技球を遊技盤３０上部へ案内するレール５０が取付けられている。これにより、ハンドル１８の回動操作に伴い発射された遊技球は発射レール６１及びレール５０を通じて、遊技盤３０とガラスユニット１３７との間に形成される遊技領域内に案内される。
【００７８】
内レール構成部５１の先端部分（図４の左上部）には戻り球防止部材５３が取着されている。これにより、一旦、レール５０から遊技領域へと案内された遊技球が再度レール５０内に戻ってしまうといった事態が防止される。
【００７９】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００８０】
図３に示すように、前面枠セット１４の背面側には、窓部１０１の下方において、後述する払出機構部３５２から下皿１５の排出口１６へ繋がる球通路７１が設けられている。また、内枠１２に設けられた発射レール６１とレール５０（外レール構成部５２）との間には所定間隔の隙間があり、前面枠セット１４の背面側には、前記隙間より落下した遊技球を下皿１５へと案内するファール球通路７２が形成されている。これにより、仮に、発射装置７０から発射された遊技球が戻り球防止部材５３まで至らずファール球としてレール５０を逆戻りする場合には、そのファール球がファール球通路７２を介して下皿１５に排出される。
【００８１】
また、図３及び図４中の符号６７は後述する払出機構部３５２により払出された遊技球を内枠１２の前方に案内するための払出通路であり、上皿１９に通じる通路と、球通路７１ひいては下皿１５に通じる通路とに分かれている。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、球通路７１の入口側後端部によってシャッタ６８が押し開けられるようになっている。
【００８２】
次に、パチンコ機１０の背面構成について図５、図６等を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【００８３】
まず、遊技盤３０の背面構成について説明する。図６に示すように、遊技盤３０中央の貫通孔に対応して配設された可変表示装置ユニット３５（図４参照）の背面側には、センターフレーム４７を背後から覆う樹脂製のフレームカバー２１３が後方に突出して設けられている。また、フレームカバー２１３の背面側には、フレームカバー２１３の開口部から前方に臨む液晶表示装置たる装飾図柄表示装置４２、表示制御装置４５及びサブ制御装置２６２が前後に重ねられた状態で着脱可能に取り付けられている。
【００８４】
装飾図柄表示装置４２は、当該装飾図柄表示装置４２の表示部（液晶画面）をパチンコ機１０の前面側に露出させるための開口部が形成された収容ボックス４２ａに収容されてフレームカバー２１３の背面側に固定されている。表示制御装置４５は基板ボックス４５ａに収容されて装飾図柄表示装置４２（収容ボックス４２ａ）の背面側に固定されている。サブ制御装置２６２は基板ボックス２６２ａに収容されて表示制御装置４５（基板ボックス４５ａ）の背面側に固定されている。尚、フレームカバー２１３内には、センターフレーム４７に内蔵されたＬＥＤ等を駆動するＬＥＤ制御基板等が配設されている。また、収容ボックス４２ａ及び基板ボックス４５ａ，２６２ａは透明樹脂材料等により構成され、内部が視認可能となっている。
【００８５】
フレームカバー２１３の下方には裏枠セット２１５が、一般入賞口３１、可変入賞装置３２及び第１契機対応ユニット３３等を背後から覆うようにして遊技盤３０に取付けられている。裏枠セット２１５は、各種入賞口に入賞した遊技球を回収するための球回収機構を備えている（図示略）。この球回収機構により回収された遊技球は、後述する排出通路部２１７に案内され、排出通路部２１７の排出シュートからパチンコ機１０外部に排出される。
【００８６】
また、本実施形態では、裏枠セット２１５が主制御装置２６１の取付台として機能する。より詳しくは、主制御装置２６１を搭載した基板搭載ユニット７０１が、裏枠セット２１５に対し回動可能に軸支され、後方に開放可能となっている。
【００８７】
主制御装置２６１は透明樹脂材料よりなる基板ボックス２６３に収容されている。基板ボックス２６３は、その正面図（図７）及び断面図（図８）に示すように、主制御装置（主基板）２６１の裏側及び周囲を覆うボックスベース２６３ａと、当該ボックスベース２６３ａの開口部を覆うボックスカバー２６３ｂとを組付けることにより、全体として左右に長い略直方体形状をなす。なお、図８は、図７のＫ−Ｋ線部分断面図であるが、後述するかしめピン２６７に関しては、便宜上、その外観を示している（以降の他の断面図に関しても同様）。主基板（主制御装置）２６１が本実施形態における制御基板に相当する。従って、基板ボックス２６３が本実施形態における基板ボックスに相当する。
【００８８】
これらボックスベース２６３ａとボックスカバー２６３ｂは、主制御装置２６１を収容した後、封印手段としての封印ユニット２６４によって連結される。こうすることにより、基板ボックス２６３を封印状態とできる。
【００８９】
以下、かかる封印ユニット２６４について図面を参照して詳しく説明する。本実施形態では、基板ボックス２６３の左右側部にそれぞれ４つずつ、計８個の封印ユニット２６４が設けられている。
【００９０】
本実施形態の各封印ユニット２６４は、ボックスベース２６３ａ又はボックスカバー２６３ｂの一方に形成される第１連結部２６５と、他方に形成される第２連結部２６６とを、連結保持手段たるかしめピン２６７及び係止片２６８を用いて連結することにより、封印状態となる。かしめピン２６７が本実施形態における連結部材を構成し、係止片２６８が保持部材を構成する。
【００９１】
第１連結部２６５は、かしめピン２６７が挿し込まれる挿込穴２７１を備えた有底の略円筒形状をなす。当該第１連結部２６５の開口側に組付けられる第２連結部２６６には、前記挿込穴２７１に連通する挿通孔２７２が貫通形成されている。そして、かしめピン２６７が、第２連結部２６６側から挿通孔２７２を介して第１連結部２６５の挿込穴２７１に挿し込まれることとなる。
【００９２】
但し、基板ボックス２６３正面から見て左側部に設けられる４つの封印ユニット２６４（以下、便宜上タイプＡという）と、右側部に設けられる４つの封印ユニット２６４（以下、便宜上タイプＢという）とでは、かしめピン２６７を挿し込む向きが異なる。
【００９３】
より詳しくは、タイプＡの各封印ユニット２６４では、第１連結部２６５が第１切離部２７３を介してボックスベース２６３ａに一体形成され、第２連結部２６６が第２切離部２７４を介してボックスカバー２６３ｂに一体形成されている。これに対し、タイプＢの各封印ユニット２６４では、第１連結部２６５が第１切離部２７３を介してボックスカバー２６３ｂに一体形成され、第２連結部２６６が第２切離部２７４を介してボックスベース２６３ａに一体形成されている。従って、タイプＡの各封印ユニット２６４では、基板ボックス２６３正面側（ボックスカバー２６３ｂ側）からかしめピン２６７を挿し込むのに対し、タイプＢの各封印ユニット２６４では、基板ボックス２６３裏面側（ボックスベース２６３ａ側）からかしめピン２６７を挿し込むこととなる。タイプＡの各封印ユニット２６４が本実施形態における第１（第１タイプ）の封印手段に相当し、タイプＢの各封印ユニット２６４が第２（第２タイプ）の封印手段に相当する。
【００９４】
第１切離部２７３及び第２切離部２７４はそれぞれ第１連結部２６５や第２連結部２６６に比較してより薄肉に形成されており、両連結部２６５，２６６が当接し連結状態にある場合においても、両切離部２７３，２７４間には隙間が形成される。この隙間が形成されることにより、後述するような基板ボックス２６３の開封の際に、この隙間にニッパ等の工具の刃先が入り込むことができるため、各切離部２７３，２７４を個別にかつ容易に切断することができる。
【００９５】
各連結部２６５，２６６や各切離部２７３，２７４が樹脂材料により形成されるのに対し、封印ユニット２６４に挿し込まれるかしめピン２６７は、ステンレス鋼材等の金属材料により形成される。図９に示すように、かしめピン２６７は、所定の軸線Ｃ１方向に沿って延びる円柱形状の軸部２６７ａと、当該軸部２６７ａの基端側（図９上側）にて当該軸部２６７ａよりも大径の頭部２６７ｂとを備える。
【００９６】
また、軸部２６７ａの先端側（図９下側）には、先端部近傍、すなわち先端部よりやや基端側寄りの位置において、軸部２６７ａ周方向に沿って嵌合溝２６７ｃが形成されている。当該嵌合溝２６７ｃが形成されることによって、軸部２６７ａの先端は係止部２６７ｄとなる。係止部２６７ｄの先端側周囲には、挿込穴２７１等への挿入を容易とするため、テーパ状の面取り部２６７ｅが形成されている。嵌合溝２６７ｃが形成された部位が係止片２６８（保持部材）に対応するかしめピン２６７のくびれ部を構成する。
【００９７】
かしめピン２６７と係り合う係止片２６８は、かしめピン２６７同様、ステンレス鋼材等の金属材料により形成されている。
【００９８】
図１０に示すように、本実施形態における係止片２６８は、小判型の形状をなすとともに、かしめピン２６７の先端部（係止部２６７ｄ）が挿し込まれる円形状の孔部２６８ａを有する。この孔部２６８ａの内径は、かしめピン２６７の軸部２６７ａの一般部の外径よりも小径、概ね嵌合溝２６７ｃが形成された部分の軸部２６７ａの径と等しく設定されている。また、孔部２６８ａの周縁部には、当該孔部２６８ａの中心から放射状に延びる複数の切込み部２６８ｂが形成されることによって、複数の舌状片２６８ｃが形成されている。これにより、孔部２６８ａの周縁部は弾性変形しやすくなり、かしめピン２６７の先端部を挿し込むことが容易となる。
【００９９】
また、かしめピン２６７が挿し込まれる第１連結部２６５の挿込穴２７１は、断面円形状をなし、その内径が、かしめピン２６７の軸部２６７ａの外径と略同一径に設定されている。従って、かしめピン２６７が挿し込まれた場合には、両者間にはほぼ隙間がない状態となる。但し、かしめピン２６７の挿込み等を考慮した若干のクリアランスは設けてある。
【０１００】
また、第１連結部２６５の周壁部には、第１切離部２７３の連接位置と挿込穴２７１を挟んで反対側にあたる位置において、挿込穴２７１に通ずる横孔状のスリット孔２７７が形成されている〔図１１（ａ）等参照〕。スリット孔２７７が本実施形態における係止片２６８（保持部材）に対応する孔部（横孔部）を構成する。
【０１０１】
スリット孔２７７は、挿込穴２７１の軸線Ｃ２方向に直交して延び、第１連結部２６５の周壁部を貫通して、第１連結部２６５の外周面に開口している。そして、このスリット孔２７７の開口部から第１連結部２６５内部に係止片２６８が挿し込まれる。
【０１０２】
このスリット孔２７７に連続するように、挿込穴２７１の内周壁面には、スリット孔２７７から挿し込まれた係止片２６８の周縁部が係止される溝部２７８が形成されている。
【０１０３】
これらスリット孔２７７及び溝部２７８は、係止片２６８の小判型の周縁形状に対応して形成されており、第１連結部２６５に係止片２６８が挿し込まれた状態では、係止片２６８全体が第１連結部２６５内に収容された状態となる。
【０１０４】
スリット孔２７７の厚み（軸線Ｃ２方向における幅）も、係止片２６８の厚みと略同一に設定されており、係止片２６８がスリット孔２７７に挿し込まれた状態では、両者間にはほとんど隙間がなく当接状態となり、係止片２６８が嵌り込んだ状態となる。
【０１０５】
これらの構成により、挿し込まれた係止片２６８の露出面は第１連結部２６５の外周面と面一、又は外周面よりも若干没入した状態となる。この状態となると、係止片２６８の孔部２６８ａの位置が、第１連結部２６５の挿込穴２７１と軸線Ｃ２に沿って重なる。
【０１０６】
なお、第１連結部２６５の挿込穴２７１のうち、スリット孔２７７及び溝部２７８よりも底部側の部分は、開口側よりも大径に形成された大径穴部２７１ａとなっている。これは、後述するように係止片２６８の孔部２６８ａの周縁部（舌状片２６８ｃ）を変形しやすくするための工夫である。
【０１０７】
また、第２連結部２６６には、第１連結部２６５との非当接面側、すなわち、かしめピン２６７を挿し込む側において、挿通孔２７２の周囲が切り欠かれるように段差状の係合凹部２７９が形成されている〔図１１（ａ）等参照〕。かしめピン２６７の挿入時には、この係合凹部２７９の底部にかしめピン２６７の頭部２６７ｂが係止されることにより、かしめピン２６７の第１連結部２６５側への移動が規制される。この状態となると、かしめピン２６７の頭部２６７ｂは、第２連結部２６６の非当接側の端面よりも没入した状態となる〔図１１（ｄ）等参照〕。
【０１０８】
次に、封印ユニット２６４による基板ボックス２６３の封印手順について説明する。先ずは、主制御装置２６１を収容した状態でボックスベース２６３ａにボックスカバー２６３ｂを組付ける。より詳しくは、ボックスベース２６３ａの上辺部及び下辺部には、基板ボックス２６３正面から見て、先端が右方に向くように略Ｌ字状に突出形成された複数の係止部２８５が形成されており、ボックスカバー２６３ｂの上辺部及び下辺部には、各係止部２８５に対応してスリット２８６が形成されている。そして、組付けの際には、先ず各係止部２８５を対応する各スリット２８６に挿込むようにして、ボックスベース２６３ａに対しボックスカバー２６３ｂを被せる。続いて、ボックスカバー２６３ｂを左方にスライドさせる。これにより、各係止部２８５がボックスカバー２６３ｂに係止され、基板ボックス２６３正面側へのボックスカバー２６３ｂの動きが規制された状態となり、組付けが完了する（図７参照）。
【０１０９】
基板ボックス２６３の組付け完了時には、図１１（ａ）に示すように、各封印ユニット２６４を構成する第１連結部２６５と第２連結部２６６とが当接し、挿込穴２７１と挿通孔２７２とが連通状態となる。
【０１１０】
この状態で、タイプＡ（左側）の４つの封印ユニット２６４のうちの１つに対し、図１１（ａ）に示すように、そのスリット孔２７７に係止片２６８を挿し込む。同様に、タイプＢ（右側）の４つの封印ユニット２６４のうちの１つに対し、そのスリット孔２７７に係止片２６８を挿し込む。なお、図７では、タイプＡでは最上部のものが使用され、タイプＢでは最下部のものが使用された状態が示されているが、これに限らず、少なくともタイプＡ，Ｂそれぞれ１つずつを組合わせて１組で使用するのであれば、どのような組合せでもよい。
【０１１１】
続いて、図１１（ｂ）に示すように、上記係止片２６８の挿し込まれた１組のタイプＡ，Ｂの封印ユニット２６４に対し、それぞれ、かしめピン２６７を挿し込む。繰り返しとなるが、この際、タイプＡの封印ユニット２６４では、ボックスカバー２６３ｂ側からかしめピン２６７が挿し込まれ、タイプＢの封印ユニット２６４では、ボックスベース２６３ａ側からかしめピン２６７が挿し込まれる。
【０１１２】
第１連結部２６５の挿込穴２７１に、かしめピン２６７の軸部２６７ａが挿入されていくと、軸部２６７ａの先端（係止部２６７ｄ）が、係止片２６８の孔部２６８ａの周縁部（舌状片２６８ｃ）に突き当たる。さらに、かしめピン２６７の頭部２６７ｂを押下して、かしめピン２６７を押し込むと、かしめピン２６７の係止部２６７ｄが、係止片２６８の孔部２６８ａの周縁部（舌状片２６８ｃ）を弾性変形させつつ〔図１１（ｃ）参照〕、挿込穴２７１の奥方へ突き抜け、大径穴部２７１ａに収容される〔図１１（ｄ）参照〕。なお、大径穴部２７１ａが形成されていることにより、挿込穴２７１の底部側では、係止片２６８の舌状片２６８ｃを支える部位が少ないため、当該舌状片２６８ｃが挿込穴２７１の底部側へ撓みやすくなる。換言すれば、挿込穴２７１の一般部と、大径穴部２７１ａとの段差によって、舌状片２６８ｃが挿込穴２７１の開口側へ撓みにくくなる。従って、後述するように、舌状片２６８ｃが係止爪（係止部）として、かしめピン２６７の係止部２６７ｄを係り止めた状態では、かしめピン２６７の抜け防止がより確実に奏されることとなる。
【０１１３】
図１１（ｄ）に示すように、かしめピン２６７の係止部２６７ｄが、係止片２６８の孔部２６８ａを突き抜けると、孔部２６８ａ周縁の舌状片２６８ｃが復元するようにして、かしめピン２６７の嵌合溝２６７ｃに嵌り込む。これにより、かしめピン２６７と係止片２６８の双方が抜き取り不能な状態となる。但し、孔部２６８ａ周縁の舌状片２６８ｃは、完全には復元せず、挿込穴２７１の底部側へやや湾曲した状態となり、かしめピン２６７の係止部２６７ｄを係り止める係止爪（係止部）の役割を果たす。これと同じくして、かしめピン２６７の頭部２６７ｂが、第２連結部２６６の係合凹部２７９の底部に係止されることにより、かしめピン２６７の第１連結部２６５側への移動が規制される。
【０１１４】
このようにして、第１連結部２６５と第２連結部２６６とが連結状態となると、基板ボックス２６３が開封不能となり、封印が完了する。
【０１１５】
続いて、基板ボックス２６３から主制御装置２６１を取出して点検したり、故障した主制御装置２６１を交換する際に、封印状態にある基板ボックス２６３を開封する手順について説明する。
【０１１６】
基板ボックス２６３を開封するためには、使用している封印ユニット２６４をニッパ等の工具により基板ボックス２６３から切断する必要がある。
【０１１７】
勿論、使用している封印ユニット２６４において、第１切離部２７３及び第２切離部２７４の両方を切断して、使用済みの封印ユニット２６４を完全に取り除けば、基板ボックス２６３を開封できる。但し、このようにすると、使用済みの封印ユニット２６４が残らず、基板ボックス２６３の開封を行った痕跡が目立たなくなる。
【０１１８】
加えて、本実施形態では、基板ボックス２６３の開封の際、組付け手順とは逆に、ボックスカバー２６３ｂを一旦右方にスライドさせて、取外さなければならない。そのため、切断の仕方によっては、使用済みの封印ユニット２６４がボックスカバー２６３ｂのスライドの妨げになるおそれがある。
【０１１９】
以上の理由から、本実施形態では以下のような方法により基板ボックス２６３の開封を行う。先ず図１２に示すように、タイプＡの封印ユニット２６４においては、ボックスカバー２６３ｂに接続形成された第２切離部２７４を切断し（切断線Ｈ１参照）、タイプＢの封印ユニット２６４においては、ボックスベース２６３ａに接続形成された第２切離部２７４を切断する（切断線Ｈ２参照）。こうすることで、基板ボックス２６３の封印が解除され、図１３に示すように、ボックスベース２６３ａからボックスカバー２６３ｂを右方にスライドさせて取外すことができる。
【０１２０】
仮に、上記構成（切断線Ｈ１，Ｈ２で切断する第１切断パターン）とは逆に、タイプＡの封印ユニット２６４において、ボックスベース２６３ａに接続形成された第１切離部２７３を切断し、タイプＢの封印ユニット２６４において、ボックスカバー２６３ｂに接続形成された第１切離部２７３を切断した場合（第２切断パターン）には、使用済みの封印ユニット２６４がボックスカバー２６３ｂのスライドの妨げとなり、ボックスベース２６３ａからボックスカバー２６３ｂを取外すことができない。
【０１２１】
同様に、タイプＡの封印ユニット２６４において第１切離部２７３を切断しかつタイプＢの封印ユニット２６４において第２切離部２７４を切断した場合（第３切断パターン）や、タイプＡの封印ユニット２６４において第２切離部２７４を切断しかつタイプＢの封印ユニット２６４において第１切離部２７３を切断した場合（第４切断パターン）も、使用済みの封印ユニット２６４がボックスカバー２６３ｂのスライドの妨げとなり、ボックスベース２６３ａからボックスカバー２６３ｂを取外すことができない。
【０１２２】
但し、これは、本実施形態が、ボックスカバー２６３ｂをスライドさせつつ、ボックスベース２６３ａに対し取付け及び取外しを行う構成となっているためであり、両者を主制御装置（主基板）２６１の基板面に対し直交する方向（図１２の上下方向）に動かして取付け及び取外しを行う構成であれば、上記第１〜第４切断パターンのいずれによっても開封は可能である。
【０１２３】
上記構成により、基板ボックス２６３の開封を行った場合（第１切離部２７３及び第２切離部２７４の両方を切断して封印ユニット２６４を完全に取り除いた場合を含む）には、その旨の履歴を残すことができる。基板ボックス２６３の開封履歴を当該基板ボックス２６３に残しておけば、基板ボックス２６３を見ることで不正な開封が行われた否かを容易に発見できる。従って、封印後の不正な開封を防止し、また万一不正開封が行われてもそのような事態を早期に且つ容易に発見可能とすることができる。なお、上述したように、第１切離部２７３及び第２切離部２７４の両方を切断して、使用済みの封印ユニット２６４を完全に取り除いた場合には、使用済みの封印ユニット２６４が残らず、基板ボックス２６３の開封を行った痕跡が目立たなくなるが、痕跡が残らないわけではない。つまり、封印ユニット２６４が完全に切除されると、切離部２７３，２７４が工具等により切断された痕跡や、封印ユニット２６４が消滅したという履歴が残るため、不正行為に関しては容易に発見できる。
【０１２４】
なお、本実施形態では、タイプＡ，Ｂの封印ユニット２６４が各４個ずつ計４組設けられているので、切離部２７３，２７４を切断して一旦基板ボックス２６３開封した後でも未使用の封印ユニット２６４（第１連結部２６５及び第２連結部２６６）に新たにかしめピン２６７と係止片２６８を挿し込むことで、残り最大３回まで封印処理を行うことが可能である。
【０１２５】
さて、遊技盤３０には、入球手段としての一般入賞口３１等の各種入賞口に対応して、当該各種入賞口へ入球した遊技球を検出する入球検出スイッチ（入球検出手段）が設けられている。具体的には、図４に示すように、一般入賞口３１に対応する位置には入賞口スイッチ２２１が設けられ、可変入賞装置３２にはカウントスイッチ２２３が設けられている。また、第１契機対応ユニット３３には、上入賞口３３ａ及び下入賞口３３ｂそれぞれに対応して第１契機対応ユニットスイッチ２２４ａ，２２４ｂが設けられている。さらに、第２契機対応口３４に対応する位置には第２契機対応口スイッチ２２５が設けられている。
【０１２６】
また、図示は省略するが、裏枠セット２１５には、入賞口スイッチ２２１、カウントスイッチ２２３及び第２契機対応口スイッチ２２５とケーブルコネクタを介して電気的に接続される第１盤面中継基板が設けられている。この第１盤面中継基板は、入賞口スイッチ２２１等と、制御手段としての主制御装置２６１とを中継するものであり、ケーブルコネクタを介して主制御装置２６１と電気的に接続されている。
【０１２７】
これに対し、第１契機対応ユニット３３（上入賞口３３ａ又は下入賞口３３ｂ）への入球を検出する第１契機対応スイッチ２２４ａ，２２４ｂは中継基板を経ることなくコネクタケーブルを介して直接主制御装置２６１に接続されている。
【０１２８】
各種入球検出スイッチにて各々検出された検出結果は、主制御装置２６１に取り込まれる。そして、該主制御装置２６１よりその都度の入賞状況に応じた払出指令（遊技球の払出個数）が払出制御装置３１１に送信され、該払出制御装置３１１からの出力信号に基づき所定数の遊技球の払出しが実施される（第２契機対応口スイッチ２２５により検出された場合を除く。）
この他、遊技盤３０の裏面には、図示は省略するが、可変入賞装置３２にて大入賞口を開放する大入賞口用ソレノイドが設けられ、第１契機対応ユニット３３にて一対の開閉部材３３ｃを開閉駆動する下入賞口用ソレノイドが設けられている。また、裏枠セット２１５には、これらソレノイドと主制御装置２６１とを中継する第２盤面中継基板（図示略）も設けられている。
【０１２９】
次に、裏パックユニット２０３の構成を説明する。図５に示すように、裏パックユニット２０３は、樹脂成形された裏パック３５１と、遊技球の払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には外部中継端子板２４０が設けられている。
【０１３０】
外部中継端子板２４０は、遊技ホールのホールコンピュータなどへの各種情報送信を中継するためのものであり、複数の外部接続端子が設けられている。便宜上、符号は付さないが、例えば現在の遊技状態（大当たり状態や高確率状態等）に関する情報を出力するための端子、後述する開放検知スイッチ９１，９２によって検出される前面枠セット１４や内枠１２の開放に関する情報を出力するための端子、入球エラー、下皿満タンエラー、タンク球無しエラー、払出しエラーなど各種エラー状態に関する情報を出力するための端子、払出制御装置３１１から払出される賞球数に関する情報を出力するための端子などが設けられている。
【０１３１】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくともフレームカバー２１３を覆うのに十分な大きさを有する。但し、本実施形態では、保護カバー部３５４が基板搭載ユニット７０１の上部及び右部（図５では左側の部位）も合わせて覆う構成となっている。これにより、裏パックユニット２０３の閉鎖状態において、基板ボックス２６３の右部（ボックス正面から見て左側）に設けられた封印ユニット２６４、及び主制御装置２６１の上縁部に沿って設けられた端子部（基板側コネクタ）が覆われることとなる。
【０１３２】
払出機構部３５２は、保護カバー部３５４を迂回するようにして配設されている。すなわち、保護カバー部３５４の上方には、上側に開口したタンク３５５が設けられており、このタンク３５５には遊技ホールの島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払出された遊技球は上皿１９等に供給される。
【０１３３】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【０１３４】
裏パックユニット２０３（基板搭載ユニット７０１）の下方には、内枠１２の左側部（図５では右側）にて軸支され、後方に開放可能な下枠セット２５１が設けられている。図６に示すように、下枠セット２５１には、上述した球回収機構により回収された遊技球が流入する排出通路部２１７が形成され、排出通路部２１７の最下流部には、遊技球をパチンコ機１０外部へ排出する排出シュート（図示略）が形成されている。つまり、一般入賞口３１等の各入賞口に入賞した遊技球は、裏枠セット２１５の球回収機構を介して集合し、さらに排出通路部２１７の排出シュートを通じてパチンコ機１０外部に排出される。なお、アウト口３６も同様に排出通路部２１７に通じており、何れの入賞口にも入賞しなかった遊技球も排出シュートを介してパチンコ機１０外部に排出される。尚、本実施形態では、裏パックユニット２０３と下枠セット２５１とが別体として構成され、それぞれ独立して開閉可能であるが、裏パックユニット２０３と下枠セット２５１とが一体的に形成されることとしてもよい。
【０１３５】
また、図５に示すように、下枠セット２５１の背面側には、払出制御装置３１１、発射制御装置３１２、電源装置３１３及びカードユニット接続基板３１４が前後に重ねられた状態で着脱可能に取り付けられている。
【０１３６】
発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成される。
【０１３７】
また、払出制御装置３１１は、基板ボックス３１１ａに収容されて、基板ボックス３１３ａ（発射制御装置３１２及び電源装置３１３）の背面側に固定されている。尚、払出制御装置３１１が収容される基板ボックス３１１ａには、上述した主制御装置２６１が収容される基板ボックス２６３と同様に封印ユニットが設けられ、基板ボックス３１１ａの開封された痕跡が残るようになっている。
【０１３８】
加えて、カードユニット接続基板３１４は、基板ボックス３１４ａに収容されて、基板ボックス３１３ａ（発射制御装置３１２及び電源装置３１３）の背面側に固定されている。
【０１３９】
なお、上記各基板ボックス３１１ａ，３１３ａ，３１４ａは透明樹脂材料等により構成されており、内部が視認可能となっている。
【０１４０】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【０１４１】
さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技ホールの営業終了時に）電源遮断すると電源遮断前の状態が記憶保持されることから、電源投入時に初期状態に戻したい場合には、ＲＡＭ消去スイッチ３２３を押しながら電源を投入する。
【０１４２】
また、図６に示すように、内枠１２の右側部背面側には施錠装置６００が設けられている。施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。本実施形態では、内枠１２は外枠１１に対し施錠され、前面枠セット１４は内枠１２に対し施錠される。
【０１４３】
尚、上記のように、外枠１１の右辺枠構成部１１ｄには、施錠装置６００に対応する上下区間全域を内枠１２の背面側から覆う延出壁部８３が形成されている（図５参照）。これにより、外枠１１の背面側から線材等を進入させ、当該線材等により施錠装置６００を操作することが困難となる。結果として、防御性能の向上を図ることができる。さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【０１４４】
また、図４に示すように、内枠１２の前面側右下部（発射装置７０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【０１４５】
次に、パチンコ機１０の電気的構成について説明する。図１４は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【０１４６】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【０１４７】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【０１４８】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、メイン処理によって電源切断時に実行され、逆にバックアップエリア５０３ａに書き込まれた各値の復帰は、電源入時（停電解消による電源入を含む。以下同様）のメイン処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１４９】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【０１５０】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【０１５１】
その他、便宜上、各種中継基板等の図示は省略するが、入出力ポート５０５には、入賞口スイッチ２２１、カウントスイッチ２２３、第１契機対応ユニットスイッチ２２４ａ，２２４ｂ、第２契機対応口スイッチ２２５などの各種検出スイッチや、各種基板などの各種電気部品が接続されている。つまり、主制御装置２６１には、各種ケーブルコネクタのコネクタを接続するための複数の端子部（基板側コネクタ）が設けられているが、これら端子部等により、入出力ポート５０５が構成される。
【０１５２】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１５３】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【０１５４】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【０１５５】
また、払出制御装置３１１は、払出装置３５８により賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１５６】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【０１５７】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１５８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理によって電源切断時に実行され、バックアップエリア５１３ａに書き込まれた各値の復帰は電源入時のメイン処理において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【０１５９】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。
【０１６０】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１６１】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、コマンド判定処理により受信されたコマンドの判定が行われた場合にオフされる。
【０１６２】
コマンドバッファは、主制御装置２６１から送信されるコマンドを一時的に記憶するリングバッファで構成されている。
【０１６３】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８等がそれぞれ接続されている。
【０１６４】
カードユニット接続基板３１４は、パチンコ機１０前面の貸球操作部（球貸しボタン１２１及び返却ボタン１２２）と、遊技ホール等にてパチンコ機１０の側方に配置されるカードユニット（球貸しユニット）とにそれぞれ電気的に接続され、遊技者による球貸し操作の指令を取り込んでそれをカードユニットに出力するものである。なお、カードユニットを介さずに球貸し装置等から上皿１９に遊技球が直接貸し出される現金機では、カードユニット接続基板３１４を省略することも可能である。
【０１６５】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１６６】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１６７】
表示制御装置４５のＣＰＵ５２１は、サブ制御装置２６２から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１６８】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１６９】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１７０】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１７１】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１７２】
電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。同様に、各種スイッチやモータ等には、これらが接続される制御装置を介して動作電源が供給されることとなる。
【０１７３】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１７４】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１７５】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１７６】
以上詳述したように、本実施形態では、第１連結部２６５においてかしめピン２６７及び係止片２６８が互いに交差して係合することにより、第１連結部２６５から抜き取り不能となっている。このため、第２連結部２６６側を破壊する等したとしても、第１連結部２６５を破壊する等しない限り、かしめピン２６７及び係止片２６８を取外すことができない。
【０１７７】
さらに、タイプＡの各封印ユニット２６４では、第１連結部２６５が第１切離部２７３を介してボックスベース２６３ａに一体形成され、第２連結部２６６が第２切離部２７４を介してボックスカバー２６３ｂに一体形成されている。これに対し、タイプＢの各封印ユニット２６４では、第１連結部２６５が第１切離部２７３を介してボックスカバー２６３ｂに一体形成され、第２連結部２６６が第２切離部２７４を介してボックスベース２６３ａに一体形成されている。
【０１７８】
従って、仮に本実施形態の基板ボックス２６３を２つ用意し、上記第１〜第４切断パターンのいずれのパターンで開封したとしても、ボックスベース２６３ａ及びボックスカバー２６３ｂの両方を、開封の痕跡を残すことなく、無傷で得ることはできない。結果として、基板ボックス２６３の開封の痕跡をより確実に残すことができ、ひいては基板ボックス２６３ごと交換するといった不正行為などを抑制することができる。
【０１７９】
〔第２実施形態〕
以下、上記第１実施形態と異なる第２実施形態について図面を参照して説明する。但し、第１実施形態と同一構成部分については同一符号を付し、その詳細な説明を省略する。
【０１８０】
本実施形態における封印ユニット２６４では、主に、かしめピン２６７の頭部２６７ｂ側の形状、及びこれに関連する第２連結部２６６側の構成などが異なる。図１５は本実施形態における基板ボックス２６３の正面図であり、図１６は、図１５のＪ−Ｊ線部分断面図である。
【０１８１】
本実施形態では、第２連結部２６６の挿通孔２７２が、第１連結部２６５の挿込穴２７１の内径と略同一径に設定されている。
【０１８２】
図１７に示すように、かしめピン２６７の頭部２６７ｂは直方体形状となっている。より詳しくは、軸線Ｃ１方向に直交する断面形状が正方形をなし、その一辺の長さが軸部２６７ａの外径と略同一に設定されている。
【０１８３】
これに合わせて、第２連結部２６６の係合凹部２７９の形状も、軸線Ｃ２方向に直交する断面形状が正方形をなす（図１５参照）。かしめピン２６７が挿入され、その頭部２６７ｂが係合凹部２７９に没入した状態においては、かしめピン２６７の頭部２６７ｂの外周部と係合凹部２７９の内周壁部との間に、ほとんど隙間が形成されないようになっている。但し、かしめピン２６７の挿込み等を考慮した若干のクリアランスは設けてある。
【０１８４】
さらに、かしめピン２６７の頭部２６７ｂと、軸部２６７ａとの境界部には、軸部２６７ａ周方向に沿って第２の嵌合溝２６７ｆが形成されている。第２の嵌合溝２６７ｆが形成されることにより、当該箇所は細径の首部２６７ｇとなる。そして、当該首部２６７ｇには、図１８に示す第２の係止片２９０が嵌合される。第２の係止片２９０は本実施形態における第２連結部２６６側の保持部材（第２の保持部材）に相当する。従って、かしめピン２６７の首部２６７ｇは、当該保持部材（第２の保持部材）に対応するくびれ部を構成する。
【０１８５】
第２の係止片２９０は、係止片２６８同様、金属材料により小判型に形成されている。第２の係止片２９０には、周縁部の一部が切り欠かれるようにして、かしめピン２６７の首部２６７ｇに嵌合する嵌合凹部２９０ａが形成されている。嵌合凹部２９０ａは、かしめピン２６７の首部２６７ｇからの脱落を防止するよう、その開口部が奥側よりも幅狭となっている。この形状は、かしめピン２６７の首部２６７ｇの断面形状にほぼ一致する。これにより、嵌合凹部２９０ａがかしめピン２６７の首部２６７ｇにほぼ隙間なく嵌合することとなる。
【０１８６】
また、第２連結部２６６の周壁部には、第２切離部２７４の連接位置と挿通孔２７２を挟んで反対側にあたる位置において、挿通孔２７２に通ずる横孔状のスリット孔２９３が形成されている〔図１９（ａ）等参照〕。スリット孔２９３は第２の係止片２９０（第２の保持部材）に対応する孔部（横孔部）を構成する。
【０１８７】
スリット孔２９３は、挿通孔２７２の軸線Ｃ２方向に直交して延び、第２連結部２６６の周壁部を貫通して、第２連結部２６６の外周面に開口している。そして、このスリット孔２９３の開口部から第２連結部２６６内部に第２の係止片２９０が挿し込まれる。
【０１８８】
スリット孔２９３は、第２の係止片２９０の小判型の周縁形状に対応して形成されており、第２連結部２６６に第２の係止片２９０が挿し込まれた状態では、第２の係止片２９０全体が第２連結部２６６内に収容された状態となる。
【０１８９】
スリット孔２９３の厚み（軸線Ｃ２方向における幅）も、第２の係止片２９０の厚みと略同一に設定されており、第２の係止片２９０がスリット孔２９３に挿し込まれた状態では、両者間にはほとんど隙間がなく当接状態となり、第２の係止片２９０が嵌り込んだ状態となる。
【０１９０】
これらの構成により、挿し込まれた第２の係止片２９０の露出面は第２連結部２６６の外周面と面一、又は外周面よりも若干没入した状態となる。この状態となると、第２の係止片２９０の嵌合凹部２９０ａの位置が、第２連結部２６６の挿通孔２７２と軸線Ｃ２に沿って重なる。
【０１９１】
次に、本実施形態における封印ユニット２６４による基板ボックス２６３の封印手順について説明する。先ずは、主制御装置２６１を収容した状態でボックスベース２６３ａにボックスカバー２６３ｂを組付ける。なお、本実施形態では、ボックスカバー２６３ｂを、主制御装置（主基板）２６１の基板面に対し直交する方向に動かして取付け及び取外しを行う構成となっている。
【０１９２】
基板ボックス２６３の組付け完了時には、図１９（ａ）に示すように、各封印ユニット２６４を構成する第１連結部２６５と第２連結部２６６とが当接し、挿込穴２７１と挿通孔２７２とが連通状態となる。
【０１９３】
この状態で、上記第１実施形態と同様に、タイプＡ（左側），タイプＢ（右側）それぞれ４つの封印ユニット２６４のうちの１つに対し、図１９（ａ）に示すように、スリット孔２７７に係止片２６８を挿し込んだ後、かしめピン２６７を挿し込む。
【０１９４】
第１連結部２６５の挿込穴２７１に、かしめピン２６７の軸部２６７ａが挿入されていくと、かしめピン２６７の係止部２６７ｄが、係止片２６８の孔部２６８ａの周縁部（舌状片２６８ｃ）を弾性変形させつつ〔図１９（ｂ）参照〕、挿込穴２７１の奥方へ突き抜け、大径穴部２７１ａに収容される〔図１９（ｃ）参照〕。合わせて、孔部２６８ａ周縁の舌状片２６８ｃが復元するようにして、かしめピン２６７の嵌合溝２６７ｃに嵌り込む。これにより、かしめピン２６７と係止片２６８の双方が抜き取り不能な状態となる。これと同じくして、かしめピン２６７の頭部２６７ｂが、第２連結部２６６の係合凹部２７９に没入する。
【０１９５】
続けて、図１９（ｃ）に示すように、スリット孔２９３に対し、嵌合凹部２９０ａを先頭にして第２の係止片２９０を挿し込む。第２の係止片２９０が挿し込まれていくと、第２の係止片２９０の挿込み側先端部が、かしめピン２６７の首部２６７ｇに突き当たる。さらに、第２の係止片２９０を押し込んでいくと、かしめピン２６７の首部２６７ｇによって、嵌合凹部２９０ａの幅狭の開口部が広がるように弾性変形する。この部分が首部２６７ｇを通過すると第２の係止片２９０の先端部分が復元して、第２の係止片２９０がかしめピン２６７の首部２６７ｇに嵌合する〔図１９（ｄ）参照〕。これにより、かしめピン２６７と第２の係止片２９０の双方が抜き取り不能な状態となる。
【０１９６】
このようにして、第１連結部２６５と第２連結部２６６とが連結状態となると、基板ボックス２６３が開封不能となり、封印が完了する。
【０１９７】
本実施形態では、上記第１実施形態で述べた第１〜第４切断パターンのいずれによっても基板ボックス２６３の開封は可能である。
【０１９８】
このようにすることで、上記実施形態と同様の作用効果が奏される。
【０１９９】
なお、上述した実施形態の記載内容に限定されず、例えば次のように実施してもよい。
【０２００】
（ａ）上記実施形態では、主制御装置２６１を収容した基板ボックス２６３を封印する封印構成に関して、本発明を適用しているが、これに限らず、払出制御装置３１１の基板ボックス３１１ａに関しては勿論のこと、サブ制御装置２６２を収容する基板ボックス２６２ａなど他の基板ボックスに適用してもよい。
【０２０１】
（ｂ）封印ユニット２６４の数や構成は上記実施形態に限定されるものではない。例えば、上記実施形態では、第１連結部２６５において、係止片２６８の挿入後にかしめピン２６７が挿入されて両者が係合する構成となっているが、第２実施形態のかしめピン２６７と第２の係止片２９０との関係のように、かしめピン２６７の挿入後に係止片２６８が挿入されて両者が係合する構成としてもよい。同様に、第２連結部２６６において、第２の係止片２９０の挿入後にかしめピン２６７が挿入されて両者が係合する構成としてもよい。
【０２０２】
また、かしめピン２６７の軸部２６７ａに横孔状の貫通孔を形成しておき、保持部材として用いた返しピン等が当該貫通孔に挿通されることで、両者が互いに交差して係合することにより、第１連結部２６５や第２連結部２６６から抜き取り不能となる構成としてもよい。
【０２０３】
具体例としては、上記各実施形態の略棒状体のかしめピン２６７に代えて、図２０に示すような略板状体のかしめピン８００を使用する例が挙げられる。以下、この実施形態について図２０，２１を参照して説明する。但し、上記各実施形態と同一構成部分については同一符号を付し、その詳細な説明を省略する。
【０２０４】
本実施形態の封印ユニット２６４に用いられる連結部材としてのかしめピン８００は、上記各実施形態のかしめピン２６７同様、金属材料により形成されている。図２０に示すように、かしめピン８００は、第１連結部２６５に挿し込まれる略平板状の平板部８００ａと、これに一体形成されるとともに第２連結部２６６に係合される頭部８００ｂとを備え、全体として正面視略Ｔ字形状をなす。より詳しくは、平板部８００ａは長方形状をなし、頭部８００ｂはその平板部８００ａの長手方向一端側が巻回されるようにして筒状に形成されている。但し、頭部８００ｂは、平板部８００ａの幅（短辺）よりも幅広に形成されている。
【０２０５】
また、頭部８００ｂとは反対側にあたる平板部８００ａの先端部の近傍には、保持部材としての保持ピン８５０が挿し込まれるスリット孔８００ｃが形成されている。
【０２０６】
保持ピン８５０は、やや大きさは異なるが、金属材料によって、かしめピン８００と略同一形状に形成されており、略平板状の平板部８５０ａと、これに一体形成される頭部８５０ｂとを備える。
【０２０７】
頭部８５０ｂとは反対側にあたる平板部８５０ａの先端部の近傍には、一部がコ字状に切欠かれることにより、頭部８５０ｂ側を自由端とした２つの係止爪８５０ｃが形成されている。これら係止爪８５０ｃは、自由端側を互いに反対方向へ折り曲げることによって、平板部８５０ａの表裏面にそれぞれ突出している。
【０２０８】
また、本実施形態では、封印ユニット２６４を構成する第１連結部２６５及び第２連結部２６６の内部構造等に関しても、かしめピン８００及び保持ピン８５０の構成に合わせて、上記各実施形態とは異なる変更がなされている。
【０２０９】
例えば、第１連結部２６５の挿込穴２７１、及び、第２連結部２６６の挿通孔２７２が共に、かしめピン８００の平板部８００ａに合わせて、比較的幅の狭い断面矩形状（スリット状）に形成されている。同様に、第２連結部２６６の係合凹部２７９の形状も、かしめピン８００の頭部８００ｂの形状に合わせて設定されており、封印ユニット２６４にかしめピン８００が挿入され、その頭部８００ｂが係合凹部２７９に没入した状態においては、当該頭部８００ｂと係合凹部２７９の側壁部との間に、ほとんど隙間が形成されないようになっている。
【０２１０】
また、保持ピン８５０が挿入される第１連結部２６５のスリット孔２７７の開口側には、その周囲が切り欠かれるように段差状の係合凹部２７７ａが形成されている。そして、保持ピン８５０の挿入時には、この係合凹部２７７ａに保持ピン８５０の頭部８５０ｂが没入状態で係合される。
【０２１１】
このスリット孔２７７に対向する挿込穴２７１の内周壁面には、保持ピン８５０の先端部が収容される収容凹部２７７ｂが形成されている。
【０２１２】
続いて、本実施形態における封印ユニット２６４による基板ボックス２６３の封印手順について説明する。
【０２１３】
まず図２１（ａ）に示すように、連通状態となった第１連結部２６５の挿込穴２７１及び第２連結部２６６の挿通孔２７２に対し、かしめピン８００を挿し込むと、当該かしめピン８００は、図２１（ｂ）に示すように、その頭部８００ｂが第２連結部２６６の係合凹部２７９に没入した状態で、封印ユニット２６４内に収容される。この状態となると、かしめピン８００のスリット孔８００ｃが、第１連結部２６５のスリット孔２７７の延長線上に重なった状態となる。
【０２１４】
続けて、図２１（ｂ）に示すように、第１連結部２６５のスリット孔２７７に対し、保持ピン８５０を挿し込む。保持ピン８５０を押し込んでいくと、両係止爪８５０ｃが平板部８５０ａ側へ弾性変形しつつ、保持ピン８５０はスリット孔２７７内へ挿入されていく。保持ピン８５０の両係止爪８５０ｃが、かしめピン８００のスリット孔８００ｃを通過すると、両係止爪８５０ｃは弾性的に復元して収容凹部２７７ｂに収容されるとともに、かしめピン８００の平板部８００ａに係止された状態となる〔図２１（ｃ）参照〕。これと同時に、保持ピン８５０の頭部８５０ｂが第１連結部２６５の係合凹部２７７ａに没入状態で係合される。これにより、かしめピン８００と保持ピン８５０の双方が抜き取り不能な状態となる。但し、本実施形態では、かしめピン８００と保持ピン８５０自体が互いに抜き取り不能に係合しているわけではなく、両者は、抜き取りは可能であるが、封印ユニット２６４内に収容され、両者の係合状態の解除操作を行えない状態となることにより、抜き取り不能な状態となる。
【０２１５】
このようにして、第１連結部２６５と第２連結部２６６とが連結状態となると、基板ボックス２６３が開封不能となり、封印が完了する。
【０２１６】
（ｃ）上記各実施形態では、かしめピン２６７等の連結部材を、係止片２６８等の保持部材により係止する構成が挙げられているが、係止片２６８等の保持部材を省略した構成としてもよい。少なくとも上記実施形態のように、かしめピン２６７等が挿し込まれ係止される第１連結部２６５の設けられる部位（ボックスベース２６３ａ又はボックスカバー２６３ｂ）が、１組で使用するタイプＡ，Ｂ双方の封印ユニット２６４で逆になっていれば、上記実施形態と同様の作用効果が奏される。
【０２１７】
具体例としては、上記（ｂ）で挙げた実施形態のかしめピン８００に代えて、図２２に示す、かしめピン８６０を使用する例が挙げられる。以下、この実施形態について図２２，２３を参照して説明する。但し、上記実施形態と同一構成部分については同一符号を付し、その詳細な説明を省略する。
【０２１８】
本実施形態の封印ユニット２６４に用いられる連結部材としてのかしめピン８６０は、金属材料によって、上記（ｂ）で挙げた実施形態における保持ピン８５０と略同一形状に形成されている。すなわち、かしめピン８６０は、略平板状の平板部８６０ａと、これに一体形成される頭部８６０ｂと、平板部８６０ａの先端部の近傍に設けられた２つの係止爪８６０ｃとを備えている。
【０２１９】
また、かしめピン８６０が挿し込まれる第１連結部２６５及び第２連結部２６６に関しては、第１連結部２６５においてスリット孔２７７が省略されるとともに、挿込穴２７１の底部側に、かしめピン８６０の先端部（係止爪８６０ｃ）が収容される収容室８６１が形成されている。
【０２２０】
封印手順としては、まず図２３（ａ）に示すように、連通状態となった第１連結部２６５の挿込穴２７１及び第２連結部２６６の挿通孔２７２に対し、かしめピン８６０を挿し込む。かしめピン８６０を押し込んでいくと、両係止爪８６０ｃが弾性変形しつつ、かしめピン８６０は挿通孔２７２ひいては挿込穴２７１内へ挿入されていく。図２３（ｂ）に示すように、かしめピン８６０の両係止爪８６０ｃが収容室８６１に達すると、両係止爪８６０ｃは弾性的に復元して、当該収容室８６１の壁面に係止された状態となる。これと同時に、かしめピン８６０の頭部８６０ｂが第２連結部２６６の係合凹部２７９に没入した状態で係合される。これにより、両係止爪８６０ｃの係止状態の解除操作を行えない状態となり、かしめピン８６０が抜き取り不能となる。
【０２２１】
このようにして、第１連結部２６５と第２連結部２６６とが連結状態となると、基板ボックス２６３が開封不能となり、封印が完了する。
【０２２２】
さらに、このような構成に加えて、図２４に示すように、第１連結部２６５において収容室８６１に通じる横孔部８６２を形成しておくとともに、かしめピン８６０の係止完了後に、横孔部８６２を介して収容室８６１内に紫外線硬化樹脂等の樹脂材料８６４を流し込み、硬化させることにより、両係止爪８６０ｃの係止状態を解除不能とすれば、第１連結部２６５からのかしめピン８６０の抜き取りもできなくなる。但し、上記実施形態のように、係止片２６８等の保持部材を用いる構成の方が、樹脂材料８６４等を流し込む作業等を要しないため、作業性の面においては好ましい。
【０２２３】
また、上記構成に代えて、連結部材が第１連結部２６５及び第２連結部２６６の双方に係止される構成を採用してもよい。
【０２２４】
具体例としては、上記かしめピン８６０に代えて、図２５に示す、かしめピン８７０を使用する例が挙げられる。以下、この実施形態について図２５，２６を参照して説明する。但し、上記実施形態と同一構成部分については同一符号を付し、その詳細な説明を省略する。
【０２２５】
本実施形態の封印ユニット２６４に用いられる連結部材としてのかしめピン８７０は、金属材料によって、上記かしめピン８６０と略同一形状に形成されるとともに、第１連結部２６５及び第２連結部２６６に係止される２組の係止爪を備えている。詳しくは、かしめピン８７０は、略平板状の平板部８７０ａと、これに一体形成される頭部８７０ｂと、平板部８７０ａの先端部の近傍に設けられた１組の係止爪８７０ｃと、これよりも頭部８７０ｂ側に設けられた１組の係止爪８７０ｄとを備えている。
【０２２６】
また、かしめピン８７０が挿し込まれる第１連結部２６５及び第２連結部２６６に関しては、第１連結部２６５の挿込穴２７１の底部側に、先端側の両係止爪８７０ｃが収容される収容室８６１が形成されるとともに、第２連結部２６６の挿通孔２７２の途中に、頭部８７０ｂ側の両係止爪８７０ｄが収容される収容室８６３が形成されている。
【０２２７】
封印手順としては、まず図２６（ａ）に示すように、連通状態となった第１連結部２６５の挿込穴２７１及び第２連結部２６６の挿通孔２７２に対し、かしめピン８７０を挿し込む。かしめピン８７０を押し込んでいくと、まず先端側の両係止爪８７０ｃが弾性変形しつつ、挿通孔２７２内へ挿入されていく。続いて、先端側の両係止爪８７０ｃが挿込穴２７１内へ挿入されていくと、頭部８７０ｂ側の両係止爪８７０ｄが挿通孔２７２内へ挿入されていく。そして、図２６（ｂ）に示すように、先端側の両係止爪８７０ｃが収容室８６１に達すると、両係止爪８７０ｃは弾性的に復元して、当該収容室８６１の壁面に係止された状態となる。同時に、頭部８７０ｂ側の両係止爪８７０ｄが収容室８６３に達し、両係止爪８７０ｄは弾性的に復元して、当該収容室８６３の壁面に係止された状態となる。合わせて、かしめピン８７０の頭部８７０ｂが第２連結部２６６の係合凹部２７９に没入した状態で係合される。これにより、２組の係止爪８７０ｃ，８７０ｄの係止状態の解除操作を行えない状態となり、かしめピン８７０は第１連結部２６５及び第２連結部２６６に対しそれぞれ抜き取り不能となる。また、このような効果をより確実なものとするため、上記かしめピン８６０の場合と同様に、かしめピン８７０の係止完了後に、収容室８６１，８６３内に樹脂材料等を流し込み、硬化させるような構成を採用してもよい。
【０２２８】
このようにして、第１連結部２６５と第２連結部２６６とが連結状態となると、基板ボックス２６３が開封不能となり、封印が完了する。
【０２２９】
（ｄ）上記実施形態では、封印ユニット２６４が、基板ボックス２６３の左右側部にそれぞれ４つずつ設けられている。封印ユニット２６４の配置はこれに限定されるものではない。例えば、タイプＡ，Ｂ双方の封印ユニット２６４が基板ボックス２６３の上側部にそれぞれ１つずつ設けられた構成としてもよい。
【０２３０】
（ｅ）上記実施形態では、かしめピン２６７等の連結部材や、係止片２６８等の保持部材として、金属製のものが採用されているが、連結部材や保持部材の材質はこれに限定されるものではなく、例えばセラミックや硬質樹脂等、比較的硬質な他の材質のものを採用してもよい。
【０２３１】
（ｆ）上記第１実施形態では、図２７に示すように、ボックスベース２６３ａの上辺部及び下辺部に、先端が右方に向くように略Ｌ字状に突出形成された複数の係止部２８５が形成され、ボックスカバー２６３ｂの上辺部及び下辺部に、各係止部２８５に対応してスリット２８６が形成されている。そして、組付けの際には、先ず各係止部２８５を対応する各スリット２８６に挿込むようにして、ボックスベース２６３ａに対しボックスカバー２６３ｂを被せる。続いて、ボックスカバー２６３ｂを左方にスライドさせる。これにより、各係止部２８５がボックスカバー２６３ｂに係止され、組付けが完了する。ここでは、組付け完了時に各係止部２８５がボックスカバー２６３ｂの正面に露出した状態となるが、不正防止の観点からは、各係止部２８５がボックスカバー２６３ｂ内にて係止される等、各係止部２８５が外部に露出しないように被覆される構成とすることが好ましい。
【０２３２】
一方、第２実施形態では、ボックスカバー２６３ｂを、主制御装置（主基板）２６１の基板面に対し直交する方向に動かして取付け及び取外しを行う構成となっている。しかし、このように、ボックスベース２６３ａ及びボックスカバー２６３ｂの取付け及び取外し方向が、かしめピン２６７等の連結部材の挿し込み方向と平行した構成では、基板ボックス２６３を完全に開封することなく、基板ボックス２６３が無理やりこじ開けられ、その隙間から内部に不正行為が行われるおそれがある。このため、不正防止の観点からは、上記第１実施形態のように、かしめピン２６７等の連結部材の挿し込み方向と交差するように、ボックスベース２６３ａとボックスカバー２６３ｂを組付けるスライドタイプの方が好ましい。より好ましくは、取付け及び取外しに必要なスライド量が大きい方がよい。例えば、以下に示すような具体例が挙げられる。図２８に示す構成では、ボックスベース２６３ａの上辺部及び下辺部にガイドレール２６３ｇが設けられ、当該ガイドレール２６３ｇの内側にボックスカバー２６３ｂの上下両縁のフランジ部２６３ｆが嵌め込まれる。これにより、ガイドレール２６３ｇに沿ってスライドさせることで、ボックスベース２６３ａとボックスカバー２６３ｂとの取付け及び取外しが行われる。この場合、図面では省略されているコネクタ端子等の突出を考慮して、主制御装置（主基板）２６１はボックスカバー２６３ｂ側に取付けられている。
【０２３３】
（ｇ）上記実施形態では、かしめピン２６７等の連結部材の挿し込み方向と、係止片２６８等の保持部材の挿し込み方向とが直交する構成となっているが、必ずしも両者が直交して係合しなくてもよい。例えば、連結部材に対し保持部材が傾斜した状態で係合する構成としてもよい。
【０２３４】
（ｈ）上記実施形態とは異なるタイプのパチンコ機として実施してもよい。また、パチンコ機以外にも、アレンジボール機、それに類する雀球等の各種遊技機、スロットマシン等の回胴式遊技機、スロットマシンとパチンコ機とを融合した形式の遊技機などとして実施してもよい。
【符号の説明】
【０２３５】
１０…パチンコ機、２６１…主制御装置、２６３…基板ボックス、２６３ａ…ボックスベース、２６３ｂ…ボックスカバー、２６４…封印ユニット、２６５…第１連結部、２６６…第２連結部、２６７…かしめピン、２６８…係止片。
【図１】
0005522228.tif 000002
【図２】
0005522228.tif 000003
【図３】
0005522228.tif 000004
【図４】
0005522228.tif 000005
【図５】
0005522228.tif 000006
【図６】
0005522228.tif 000007
【図７】
0005522228.tif 000008
【図８】
0005522228.tif 000009
【図９】
0005522228.tif 000010
【図１０】
0005522228.tif 000011
【図１１】
0005522228.tif 000012
【図１２】
0005522228.tif 000013
【図１３】
0005522228.tif 000014
【図１４】
0005522228.tif 000015
【図１５】
0005522228.tif 000016
【図１６】
0005522228.tif 000017
【図１７】
0005522228.tif 000018
【図１８】
0005522228.tif 000019
【図１９】
0005522228.tif 000020
【図２０】
0005522228.tif 000021
【図２１】
0005522228.tif 000022
【図２２】
0005522228.tif 000023
【図２３】
0005522228.tif 000024
【図２４】
0005522228.tif 000025
【図２５】
0005522228.tif 000026
【図２６】
0005522228.tif 000027
【図２７】
0005522228.tif 000028
【図２８】
0005522228.tif 000029